(57)【要約】      （修正有）【課題】線材の巻き付け時に十分な強度を有する紙製リールを提供すること。【解決手段】紙製リール１０は、紙製円筒状の巻胴２０と、巻胴２０の両端部に設けられる紙製のフランジ３０、４０とを備えている。巻胴２０は、その両端部において、凸部と凹部とを有しており、フランジ３０、４０は、巻胴２０の両端部における凸部が挿入される開口部３１を有している。巻胴２０とフランジ３０、４０とは、巻胴２０の両端部における凸部がフランジ３０、４０の開口部３１に係合することで固定されている。【選択図】図１
2016132539.tif 000002
【特許請求の範囲】
【請求項１】
紙製円筒状の巻胴と、前記巻胴の両端部に設けられる紙製のフランジとを備えた紙製リールであって、
前記巻胴は、前記両端部において、凸部と凹部とを有しており、
前記フランジは、前記巻胴の両端部における前記凸部が挿入される開口部を有しており、
前記巻胴と前記フランジとは、前記巻胴の両端部における前記凸部が前記フランジの開口部に係合することで固定されている、
ことを特徴とする紙製リール。
【請求項２】
請求項１に記載の紙製リールにおいて、
前記巻胴の両端部において、前記凸部が形成されている部分の領域は、前記凹部が形成されている部分の領域よりも多い、
ことを特徴とする紙製リール。
【請求項３】
請求項１または２に記載の紙製リールにおいて、
前記巻胴の両端部における前記凸部は、互いに対抗する位置に二つ形成されており、前記巻胴の両端部における前記凹部は、互いに対抗する位置に二つ形成されている、
ことを特徴とする紙製リール。
【請求項４】
請求項１〜３のうちのいずれか１項に記載の紙製リールにおいて、
前記巻胴の両端部における前記凸部の前記凹部の底部からの長さは、前記フランジの厚みと同じである、
ことを特徴とする紙製リール。
【請求項５】
請求項１〜４のうちのいずれか１項に記載の紙製リールにおいて、
前記巻胴は、円柱状または円錐状である、
ことを特徴とする紙製リール。
【請求項６】
請求項１〜５のうちのいずれか１項に記載の紙製リールにおいて、
前記巻胴の両端部における前記凸部と前記フランジの前記開口部を構成する部分とが接触する部分において接着されており、
前記巻胴の両端部における前記凹部と前記フランジとが接触する部分において接着されている、
ことを特徴とする紙製リール。
【発明の詳細な説明】
【技術分野】
【０００１】
本発明は、線材を巻き付ける紙製リールに関するものである。
【背景技術】
【０００２】
線材を巻き付ける紙製リールが例えば特許文献１に開示されている。この特許文献１の紙製リールは、紙製の巻芯（巻胴）と、その巻芯の両端に取り付けられるフランジ（紙鍔）とで構成されている。巻芯とフランジとは、巻芯の端部に形成された舌片が、フランジに形成された差し込み孔に差し込まれた後折り曲げられて粘着テープで固定されることで取り付けられる。
【先行技術文献】
【特許文献】
【０００３】
【特許文献１】特開２０１０−１４９９９３号公報
【発明の概要】
【発明が解決しようとする課題】
【０００４】
ところで、紙製リールでは、線材の巻き付け時においてフランジに側圧（押し拡げ力）が作用する。その結果、フランジの固定が側圧によって緩んだり外れたりすることがあり、線材の巻き付けが十分に行うことができない場合がある。そのため、フランジは巻胴に対して十分に固定されることが重要である。
【０００５】
また、近年、環境保護の立場から、リサイクル可能な紙製のリールが注目されており、取り扱いの容易さや、コストが最優先される傾向があるので、紙製のリールに対する需要が増している。
【０００６】
本発明は、かかる点に鑑みてなされたものであり、その目的は、環境に優しい紙製のリールであって、取り扱いが容易であって、線材の巻き付け時に作用する圧力によってフランジの固定が緩んだり外れたりしない紙製リールを提供することにある。
【課題を解決するための手段】
【０００７】
本発明の紙製リールは、上記の目的を達成するために、巻芯及びフランジの構成を工夫したものである。
【０００８】
具体的に、本発明は、紙製円筒状の巻胴と、巻胴の両端部に設けられる紙製のフランジとを備えた紙製リールであって、巻胴は、両端部において、凸部と凹部とを有しており、フランジは、巻胴の両端部における凸部が挿入される開口部を有しており、巻胴とフランジとは、巻胴の両端部における凸部がフランジの開口部に係合することで固定されている、ことを特徴とする。
【０００９】
上記の構成によれば、巻胴とフランジとは、巻胴の両端部における凸部がフランジの開口部に係合することで強固に固定されていることにより、線材の巻き付け時に作用する圧力によってフランジの固定が緩んだり外れたりすることがない。また、使用するときまで場所を有効利用でき、環境に優しく、その取り扱いが容易である。
【００１０】
本発明の紙製リールにおいて、巻胴の両端部において、凸部が形成されている部分の領域は、凹部が形成されている部分の領域よりも多い、ことが好ましい。このようにすると、巻胴の両端部におけるフランジに差し込まれる部分（凸部の部分）が差し込まれない部分（凹部の部分）よりも多いので、巻胴とフランジとはより強固に固定される。
【００１１】
本発明の紙製リールにおいて、巻胴の両端部における凸部は、互いに対抗する位置に二つ形成されており、巻胴の両端部における前記凹部は、互いに対抗する位置に二つ形成されている、ことが好ましい。このようにすると、巻胴とフランジとが強固に固定される。
【００１２】
本発明の紙製リールにおいて、巻胴の両端部における凸部の凹部の底部からの長さは、フランジの厚みと同じである、ことが好ましい。このようにすると、巻胴の凸部がフランジの開口部にちょうどおさまりながら、巻胴の凹部の底部がフランジの接触面とちょうど接触するので、巻胴とフランジとが強固に固定される。
【００１３】
本発明の紙製リールにおいて、巻胴は、円柱状または円錐状である、ことが好ましい。
【００１４】
本発明の紙製リールにおいて、巻胴の両端部における凸部とフランジの開口部を構成する部分とが接触する部分において接着されており、巻胴の両端部における凹部とフランジとが接触する部分において接着されている、ことが好ましい。
【発明の効果】
【００１５】
本発明によれば、巻胴とフランジとは、巻胴の両端部における凸部がフランジの開口部に係合することで強固に固定されていることにより、線材の巻き付け時に作用する圧力によってフランジの固定が緩んだり外れたりすることがない。また、使用するときまで場所を有効利用でき、再利用が可能で環境に優しく、その取り扱いが容易である。
【図面の簡単な説明】
【００１６】
【図１】図１は、実施形態に係る紙製リールの全体構成を示す斜視図である。
【図２】図２は、実施形態に係る紙製リールの巻芯の構成を示す斜視図である。
【図３】図３（ａ）及び（ｂ）は、実施形態に係る紙製リールのフランジの構成を示す平面図であり、（ａ）は図１及び図２の図上上側に位置するフランジの平面図であり、（ｂ）は図１及び図２の図上下側に位置するフランジの平面図である。
【図４】図４は、実施形態に係る紙製リールの全体構成を示す斜視図であって、巻胴が円柱状である場合の例を示している。
【発明を実施するための形態】
【００１７】
以下、本発明の実施形態を図面に基づいて詳細に説明する。尚、本発明は、以下の実施形態に限定されるものではない。
【００１８】
図１に示すように、本実施形態の紙製リール１０は、巻胴２０と、該巻胴２０の両端部に設けられる２つのフランジ３０、４０とを備えている。本実施形態の紙製リール１０は、所定の巻き取り装置（図示省略）に装着されて、繊維等の線材を巻き付ける比較的小型のものである。
【００１９】
巻胴２０およびフランジ３０、４０は、何れも紙製であり、例えば合板紙や段ボールシートをクロス目に張り合わせた紙材等を使用することで衝撃強度を向上させている。
【００２０】
図２に示すように、巻胴２０は、例えば円柱形（円筒形）又は円錐形（図２の場合）であり、その両端部において、凸部２０Ｂと凹部２０Ａとを有している。本実施形態では、例えば、巻胴２０の両端部における凸部２０Ｂは、互いに対抗する位置に二つ形成されており、巻胴２０の両端部における凹部２０Ａは、互いに対抗する位置に二つ形成されている。なお、凸部２０Ｂ及び凹部２０Ａの個数は二つに限定されるものではなく、一つずつでも、３つずつ以上であってもかまわない。
【００２１】
また、ここで、巻胴２０の両端部において、凸部２０Ｂが形成されている部分の領域は、凹部２０Ａが形成されている部分の領域よりも多いことが好ましい。
【００２２】
図３（ａ）及び（ｂ）に示すように、フランジ３０、４０は、巻胴２０の両端部における凸部２０Ｂが挿入される開口部３１を有している。なお、フランジ３０、４０には、図示しない巻き取り装置に適用するための開口部３２や他の開口部が形成される。そして、図１〜図３に示すように、巻胴２０とフランジ３０、４０とは、巻胴２０の両端部における凸部２０Ｂがフランジ３０、４０の開口部３１に係合することで固定されている。これにより、線材の巻き付け時に作用する圧力によってフランジ３０、４０の固定が緩んだり外れたりすることがない。また、使用するときまで場所を有効利用でき、再利用が可能で環境に優しく、その取り扱いが容易である。
【００２３】
また、図１及び図２に示すように、巻胴２０の両端部における凸部２０Ｂの凹部２０Ａの底部からの長さ１Ｈは、フランジ３０、４０の厚みと同じである、ことが好ましい。このようにすると、巻胴２０の凸部２０Ｂがフランジ３０、４０の開口部３１にちょうどおさまりながら、巻胴２０の凹部２０Ａの底部がフランジ３０、４０の接触面とちょうど接触するので、巻胴２０とフランジ３０、４０とが強固に固定される。
【００２４】
また、巻胴２０とフランジ３０、４０とは、巻胴２０の両端部における凸部２０Ｂとフランジ３０、４０の開口部３１を構成する部分とが接触する部分において接着されており、且つ、巻胴２０の両端部における凹部２０Ａとフランジ３０、４０とが接触する部分において接着されている、ことが好ましい。
【００２５】
なお、上記では、巻胴２０が円錐形の場合について説明及び図示してきたが、上述の通り、巻胴２０は図４に示すように円柱状であってもよく、またその場合の説明は上記に基づいて当業者が適宜実施可能であることはいうまでもない。
【符号の説明】
【００２６】
１０      紙製リール
２０      巻胴
２０Ａ    凹部
２０Ｂ    凸部
３０、４０      フランジ
３１、３２      開口部
【図１】
2016132539.tif 000003
【図２】
2016132539.tif 000004
【図３】
2016132539.tif 000005
【図４】
2016132539.tif 000006